(57)【要約】【課題】少ないハードウェアで読み取り位置を間違えること無く識別コードを読み取ることができるＲＦＩＤタグ用アンテナ装置およびＲＦＩＤタグ読み取り装置を提供すること。【解決手段】ＲＦＩＤタグ用アンテナ装置は、アンテナ装置を所定の位置に配置した場合にＲＦＩＤタグが配置される可能性のある位置と対向する位置に配置された複数のアンテナと、アンテナ装置とＲＦＩＤタグの読み取り装置とを接続するケーブルと、アンテナの１つを選択する選択回路と、選択されたアンテナをケーブルに接続するスイッチ回路とを備える。アンテナ装置を所定の位置に配置するだけで、位置と対応して複数のケーブルの識別情報を個別に読み取り可能であるので、読み取り位置を間違えることが無くなり、ケーブルの誤接続を防止することができる。【選択図】図１
2009157904.tif 000002
【特許請求の範囲】
【請求項１】
アンテナ装置を所定の位置に配置した場合に配線ケーブルのコネクタに装着されたＲＦＩＤタグが配置される可能性のある位置と対向する位置に配置された複数のアンテナ手段と、
アンテナ装置とＲＦＩＤタグのリーダ／ライタ装置とを接続するケーブル手段と、
前記アンテナ手段の１つを選択する選択手段と、
前記選択手段によって選択された前記アンテナ手段を前記ケーブル手段に接続するスイッチ手段と
を備えたことを特徴とするＲＦＩＤタグ用アンテナ装置。
【請求項２】
更に、位置検出用ＲＦＩＤタグと対応する位置に配置された第２のアンテナ手段を備えていることを特徴とする請求項１に記載のＲＦＩＤタグ用アンテナ装置。
【請求項３】
更に、配線ケーブルのコネクタに装着されたＲＦＩＤタグと対応しない位置に配置された第３のアンテナ手段を備えていることを特徴とする請求項１に記載のＲＦＩＤタグ用アンテナ装置。
【請求項４】
更に、アンテナ装置に設けられたカードホルダと対応する位置に配置された第４のアンテナ手段を備えていることを特徴とする請求項１に記載のＲＦＩＤタグ用アンテナ装置。
【請求項５】
前記スイッチ手段は、ダイオードを使用したスイッチング回路からなることを特徴とする請求項１に記載のＲＦＩＤタグ用アンテナ装置。
【請求項６】
更に、前記複数のアンテナ手段と対応する位置に配置された表示手段を備えていることを特徴とする請求項１に記載のＲＦＩＤタグ用アンテナ装置。
【請求項７】
アンテナ装置が配線パネルへの着脱可能な位置固定手段を備えたことを特徴とする請求項１に記載のＲＦＩＤタグ用アンテナ装置。
【請求項８】
配線ケーブルコネクタに装着されたＲＦＩＤタグと、
前記アンテナ装置の配置位置を規制するガイドを備えた配線パネルと、
請求項１乃至６のいずれかに記載されたアンテナ装置と、
前記アンテナ装置の選択手段を制御する選択情報の出力手段を備えたＲＦＩＤタグの読み取り装置と
を備えたことを特徴とするＲＦＩＤタグ読み取り装置。
【請求項９】
前記ガイドに位置検出用ＲＦＩＤタグが装着されていることを特徴とする請求項８に記載のＲＦＩＤタグ読み取り装置。
【請求項１０】
前記ガイドは、配線パネルコネクタの両側に設けられ、前記アンテナ装置を係合し、保持するための凹部を備えていることを特徴とする請求項８に記載のＲＦＩＤタグ読み取り装置。
【請求項１１】
前記読み取り装置はアンテナ装置切り替え手段を内蔵し、前記複数のアンテナ装置を接続可能であることを特徴とする請求項８に記載のＲＦＩＤタグ読み取り装置。
【発明の詳細な説明】
【技術分野】
【０００１】
本発明は、ＲＦＩＤタグ用アンテナ装置およびＲＦＩＤタグ読み取り装置に関するものであり、特に、任意の位置のＲＦＩＤタグを指定して情報の読み書きが可能なＲＦＩＤタグ用アンテナ装置およびこのアンテナ装置を用いたＲＦＩＤタグ読み取り装置に関するものである。
【背景技術】
【０００２】
従来、通信ケーブルの配線盤などにおいて配線替えなどの作業を行う場合に、作業者に対して配線の作業指示を与えると共に、この作業者が行った配線をチェックし、データベースで管理する配線管理システムが提案されている。下記の特許文献１には、このような配線管理システムの一例が開示されている。
【０００３】
この配線管理システムは、通信ケーブルや架に装着されたバーコードをバーコードリーダで読み取ることによって、作業指示で与えられた配線と作業者が実際に行った配線とを比較する配線比較手段と、配線比較手段で比較した２つの配線が完全に一致する場合、及び２つの配線の一部は異なっているがデータ伝送に支障がない場合に、正しく配線できたものと判定してデータベースの更新を行うデータベース更新手段とを備えている。
【特許文献１】特開平１１−０３１１７８号公報
【発明の開示】
【発明が解決しようとする課題】
【０００４】
上記した従来の配線管理システムにおいては、バーコードリーダを使用してバーコードを手動で読み取っているので手間がかかると共に、読み取り位置を間違えると誤配線の原因となり、誤配線の発見には多大な手間がかかるという問題点があった。
【０００５】
本発明は、上記した課題を解決し、少ないハードウェアで読み取り位置を間違えること無く識別コードを読み取ることができるＲＦＩＤタグ用アンテナ装置およびこのＲＦＩＤタグ用アンテナ装置を使用したＲＦＩＤタグ読み取り装置を提供することを目的とする。
【課題を解決するための手段】
【０００６】
本発明のＲＦＩＤタグ用アンテナ装置は、アンテナ装置を所定の位置に配置した場合に配線ケーブルのコネクタに装着されたＲＦＩＤタグが配置される可能性のある位置と対向する位置に配置された複数のアンテナ手段と、アンテナ装置とＲＦＩＤタグのリーダ／ライタ装置とを接続するケーブル手段と、前記アンテナ手段の１つを選択する選択手段と、前記選択手段によって選択された前記アンテナ手段を前記ケーブル手段に接続するスイッチ手段とを備えたことを主要な特徴とする。
【０００７】
また、前記したＲＦＩＤタグ用アンテナ装置において、更に、位置検出用ＲＦＩＤタグと対応する位置に配置された第２のアンテナ手段を備えている点にも特徴がある。また、前記したＲＦＩＤタグ用アンテナ装置において、更に、配線ケーブルのコネクタに装着されたＲＦＩＤタグと対応しない位置に配置された第３のアンテナ手段を備えている点にも特徴がある。また、前記したＲＦＩＤタグ用アンテナ装置において、更に、アンテナ装置に設けられたカードホルダと対応する位置に配置された第４のアンテナ手段を備えている点にも特徴がある。
【０００８】
また、前記したＲＦＩＤタグ用アンテナ装置において、前記スイッチ手段は、ダイオードを使用したスイッチング回路からなる点にも特徴がある。また、前記したＲＦＩＤタグ用アンテナ装置において、更に、前記複数のアンテナ手段と対応する位置に配置された表示手段を備えている点にも特徴がある。また、前記したＲＦＩＤタグ用アンテナ装置において、アンテナ装置が配線パネルへの着脱可能な位置固定手段を備えた点にも特徴がある。
【０００９】
本発明のＲＦＩＤタグ読み取り装置は、配線ケーブルコネクタに装着されたＲＦＩＤタグと、前記アンテナ装置の配置位置を規制するガイドを備えた配線パネルと、前記したアンテナ装置と、前記アンテナ装置の選択手段を制御する選択情報の出力手段を備えたＲＦＩＤタグの読み取り装置とを備えたことを主要な特徴とする。
【００１０】
また、前記したＲＦＩＤタグ読み取り装置において、前記ガイドに位置検出用ＲＦＩＤタグが装着されている点にも特徴がある。また、前記したＲＦＩＤタグ読み取り装置において、前記ガイドは、配線パネルコネクタの両側に設けられ、前記アンテナ装置を係合し、保持するための凹部を備えている点にも特徴がある。また、前記したＲＦＩＤタグ読み取り装置において、前記読み取り装置はアンテナ装置切り替え手段を内蔵し、前記複数のアンテナ装置を接続可能である点にも特徴がある。
【発明の効果】
【００１１】
本発明の装置は上記のような特徴によって、以下のような効果がある。
（１）アンテナ装置を所定の位置に配置するだけで、位置と対応して複数のケーブルの識別情報を個別に読み取り可能であるので、読み取り位置を間違えることが無くなり、ケーブルの誤接続（人為的ミス）を防止することができると共に、誤接続を容易に発見できる。
【００１２】
（２）アンテナ装置は例えば１行分のコネクタに対応するアンテナを備えたものでよく、アンテナ装置を必要な位置へ移動させて作業を行うので、ハードウェア量が少なくて済む。
（３）複数の識別情報を同時に読み取れるので、確認作業等の効率が向上する。
（４）本発明のＲＦＩＤタグ読み取り装置は既存の配線パネルにも設置が可能である。
【発明を実施するための最良の形態】
【００１３】
以下、図面を参照して実施例について説明する。なお、実施例においては、光ファイバケーブルの中継パネルの配線管理装置に本発明を適用した例を開示するが、本発明は電線や光ファイバを始め、任意のケーブルの配線管理に使用可能である。
【実施例１】
【００１４】
図１は、本発明のＲＦＩＤタグ読み取り装置を含む配線管理装置の構成を示すブロック図である。配線管理装置は、本発明のＲＦＩＤタグ用アンテナ装置であるアンテナユニット１２、配線パネル１０の近傍に配置され、アンテナユニット１２とケーブルで接続され、ＬＡＮインターフェイス手段、ＲＦＩＤタグのリーダ／ライタ装置を備えた１つあるいは複数のコントローラ１１、ＬＡＮ２２に接続され、配線情報を表示可能な端末装置２３などからなる。なお、コントローラ１１には複数のアンテナユニット１２が接続可能に構成されている。
【００１５】
配線パネル１０には、多数の配線パネルコネクタ１３が配置されており、配線パネルコネクタ１３の幾つかには光ファイバケーブル１６が接続された配線ケーブルコネクタ１５が接続されている。この配線ケーブルコネクタ１５には周知のＲＦＩＤタグ１８を内蔵したアダプタ１７が装着されている。
【００１６】
配線パネル１０には、アンテナユニット１２の位置を規制するガイド１４が設けられており、アンテナユニット１２をガイド１４に当接する位置に配置することにより、アンテナユニット１２内の複数のアンテナコイルがＲＦＩＤタグ１８と対向する位置に配置されるように構成されている。
【００１７】
端末装置２３は例えば周知のパソコン（ＰＣ）であり、ＬＡＮ２２と接続されて、コントローラ１１がＲＦＩＤタグ１８から読み取った識別情報を表示し、必要に応じて配線管理情報を更新する。なお、端末２３は例えばＲＳ２３２Ｃ等の通信ケーブル２４で直接コントローラ１１に接続されていてもよい。
【００１８】
図２は、本発明のアンテナユニット１２の構成および配線パネル１０への配置状態を示す断面図である。また、図３は、本発明のアンテナユニット１２の構成を示す平面図である。アンテナユニット１２は、配線パネル１０に固着された配線パネルコネクタ１３の行間に挿入可能な細長い直方体のプラスティック製ケースを備え、裏面には配線パネル１０に着脱可能に固定するための位置固定手段である磁石３９が装着されている。なお、配線パネル１０は例えば鉄板など磁石が接着可能な材質でできているものとする。
【００１９】
アンテナユニット１２の内部には、複数のアンテナコイル３１、スイッチ回路用部品３２などが実装されたプリント基板３０が内蔵されている。各アンテナコイル３１は、アンテナユニット１２をガイド１４に当接する位置に配置することにより、配線ケーブルのコネクタに装着されたＲＦＩＤタグ１８と対向するような位置に配置される。
【００２０】
配線ケーブルコネクタ１５には周知のＲＦＩＤタグ１８を内蔵したアダプタ１７が装着されている。アダプタ１７は例えばウレタンゴムのような弾力性のある部材によって形成されており、配線ケーブルコネクタ１５をアダプタ１７の孔１９に圧入することにより、着脱可能に固定されている。ＲＦＩＤタグ１８は、例えばＩＳＯ／ＩＥＣ１５６９３に準拠した市販のタグを使用可能であり、情報の書き込みが可能なものを使用し、予めケーブル（回線）の固有情報を記録（書込み）しておく。一例として、フィリップス（登録商標）社のＩＣチップＳＬ２ＩＣＳ２０を搭載したＩＣタグを使用してもよい。
【００２１】
配線パネル１０のガイド１４には位置検出用ＲＦＩＤタグ１８が内蔵されており、アンテナユニット１２のガイド１４と対向する位置には、ガイド１４のＲＦＩＤタグ１８からＩＤ情報（位置情報）を読み取るため、位置検出用ＲＦＩＤタグ１８と対応する位置に配置された第２のアンテナ手段であるアンテナコイル３３が設けられている。
【００２２】
また、ＲＦＩＤタグ１８と対向しない位置（例えば右端）には、例えば配線パネルコネクタ１３から外した配線ケーブルコネクタ１５に装着されているアダプタ１７のＲＦＩＤタグ１８からＩＤ情報を読み取るための第３のアンテナ手段である手動読み取り用アンテナコイル３４が設けられている。アンテナユニット１２とコントローラ１１間の高周波信号は１本の同軸ケーブルで接続されている。
【００２３】
図４は、本発明のアンテナユニット１２およびコントローラ１１の機能を示すブロック図である。コントローラ１１は、マイクロコンピュータ４０、ＲＦモジュール４１、スイッチ４２、アンテナユニット１２と対応する複数のバッファ４３、ＬＡＮインターフェイス回路４４、ＲＳ２３２Ｃインターフェイス回路４５、電  源回路４６等を備えている。
【００２４】
マイクロコンピュータ４０は、ＣＰＵ、ＲＯＭ、ＲＡＭ、パラレル、シリアルＩ／Ｏポート等を備えた周知の１チップマイクロコンピュータであり、市販されている１チップマイクロコンピュータの中から本発明に必要な機能を備えた任意の１チップマイクロコンピュータを採用可能である。
【００２５】
ＲＦＩＤタグのリーダ／ライタ装置であるＲＦモジュール４１は、ＲＦＩＤタグからのＩＤ情報の読み取り、書き込みを行う送受信回路およびそのコントローラが搭載されたモジュールである。ＲＦモジュール４１は例えばマイクロコンピュータ４０とＲＳ２３２Ｃ等のシリアル回線で接続され、マイクロコンピュータ４０からの指示に基づいて、ＲＦＩＤタグからのＩＤ情報の読み取り動作、あるいはＲＦＩＤタグへのＩＤ情報の書き込み動作を実行する。そして、マイクロコンピュータ４０へ読み取ったＩＤ情報あるいは書き込み結果等を報告する。なお、このようなＲＦモジュール４１は市販もされている。
【００２６】
スイッチ４２は、マイクロコンピュータ４０からの制御信号に基づき、ＲＦモジュール４１のアンテナ回線と複数のアンテナユニット１２あるいはアンテナ６０との間の接続を切り替えるスイッチ回路であり、後述するアンテナユニット１２内のダイオードを使用したスイッチ回路を用いてもよいし、リードリレーあるいは同軸リレーを用いてもよい。
【００２７】
アンテナユニット１２と対応する複数のバッファ回路４３は、それぞれマイクロコンピュータ４０からのアンテナコイル選択信号をコネクタ４７を介して対応するアンテナユニット１２に出力する。ＬＡＮインターフェイス回路４４は、マイクロコンピュータ４０とＬＡＮ２２とを接続する。
【００２８】
ＲＳ２３２Ｃインターフェイス回路４５は、マイクロコンピュータ４０と端末２３のＲＳ２３２Ｃインターフェイス回路とを接続する。電源回路４６はコントローラ１１内の各回路に電源を供給すると共にコネクタ４７を介してアンテナユニット１２に例えば９Ｖの電源を供給する。
【００２９】
アンテナユニット１２は、複数のアンテナ（コイル）５１、各アンテナ５１と対応するスイッチ回路５０、デコーダ５３、レギュレータ５２を備えている。選択手段であるデコーダ５３は、コントローラ１１のバッファ回路４３を介してアンテナコイル選択信号が入力され、選択された１つのアンテナと対応するスイッチ回路５０のみに選択信号を出力する。レギュレータ５２は、ケーブル３５を介して供給された９Ｖの電源から５Ｖの電源を生成する。
【００３０】
スイッチ回路５０は、選択信号が入力されていない場合には切断されているが、選択信号が入力された場合には、高周波帯域においては導通状態となり、対応するアンテナコイル５１とコントローラ１１内のスイッチ４２とが接続される。
【００３１】
アンテナ６０は、作業者が手動でＲＦＩＤタグを読み取る場合に使用するアンテナである。アンテナ６０は、コイルとコンデンサの並列回路からなる同調回路を備えており、例えば指に固定できるようなサックが装着されている。なお、このアンテナ６０はコントローラ１１に接続することも可能であるが、アンテナユニット１２の手動読み取り用アンテナコイル３４の替わりにコネクタ６２に接続してもよい。
【００３２】
図５は、本発明のアンテナユニット１２の回路を示す回路図である。レギュレータ５２は、ケーブル３５を介して供給された９Ｖの電源から５Ｖの電源を生成し、デコーダ５３に供給すると共に、抵抗Ｒ１を介してアンテナ線（Ａ点）に供給する。
【００３３】
デコーダ５３は、市販されているデコーダＩＣであり、例えばコード化された４ビットのアンテナコイル選択信号が入力され、デコードした１６本の出力の内の選択された１つの出力端子のみに選択信号（約５Ｖ）を、その他の出力端子には０Ｖを出力する。
【００３４】
デコーダ５３の各出力端子はそれぞれ抵抗Ｒ４を介して各スイッチ回路５０のトランジスタ７０のベースに接続されている。また、９Ｖの電源が抵抗Ｒ２を介してトランジスタ７０のコレクタに接続されている。従って、スイッチ回路５０に選択信号が入力されている場合には、トランジスタ７０はオンとなり、コレクタの電圧はほぼ０Ｖとなるが、選択信号が入力されていない場合には、トランジスタ７０はオフとなり、コレクタの電圧はほぼ９Ｖとなる。
【００３５】
トランジスタ７０がオフの場合にはコレクタの電圧はほぼ９Ｖとなり、この電圧は抵抗Ｒ３を介してダイオード７１のカソード（Ｂ点）に供給される。一方、ダイオード７１のアノード（Ａ点）には抵抗Ｒ１を介して５Ｖが供給されているので、ダイオード７１は逆バイアスとなり、切断状態となる。
【００３６】
トランジスタ７０がオンの場合にはコレクタの電圧はほぼ０Ｖとなり、ダイオード７１のカソード（Ｂ点）も０Ｖとなる。一方、ダイオード７１のアノード（Ａ点）には抵抗Ｒ１を介して５Ｖが供給されているので、ダイオード７１は順方向バイアスとなり、導通状態となる。従って、選択されたスイッチ回路５０のＢ点のみが、ダイオード７１、コンデンサＣ１、ケーブル（同軸ケーブル）３５、スイッチ４２を介してＲＦモジュール４１のアンテナ線と接続される。
【００３７】
なお、Ｃ１は直流遮断用のコンデンサ、Ｃ２、Ｃ３は直流遮断およびインピーダンスマッチング用のコンデンサおよび半固定コンデンサ、Ｃ４、Ｃ５は、同調用のコンデンサおよび半固定コンデンサ、Ｒ５は、インピーダンスマッチング用の抵抗である。
【００３８】
図７は、コントローラ１１のマイクロコンピュータ４０の処理内容を示すフローチャートである。Ｓ１０においては初期化が行われ、Ｓ１１においては変数ｕ（アンテナユニット番号）を０に設定する。Ｓ１２においては変数ｎ（アンテナユニット内のアンテナ番号：０からの連番）を０に初期化する。なお、例えばｎ＝０は位置検出用アンテナ３３、１≦ｎ≦nmax−１は配線ケーブルと対応する複数のアンテナ３１、ｎ＝nmaxは手動読み取り用アンテナ３４と対応する。
【００３９】
Ｓ１３においては、アンテナユニットｕのアンテナｎを選択する。即ち、マイクロコンピュータ４０はスイッチ４２を制御してアンテナユニットｕをＲＦモジュール４１と接続し、かつアンテナユニットｕと対応するバッファ４３に選択すべきアンテナ番号ｎに相当する２進コードを出力する。この処理によってアンテナユニットｕのアンテナ番号ｎのアンテナ５１がＲＦモジュール４１と接続される。
【００４０】
Ｓ１４においては、ＲＦモジュール４１にＩＤ情報の読み取り指示を送信し、読み取り結果を受信する。読み取り結果は読み取ったＩＤ情報あるいは読み取り失敗（＝タグ無し）の情報である。Ｓ１５においては読み取り結果情報をｕ、ｎと対応して記憶する。Ｓ１６においてはｎに１を加算し、Ｓ１７においては、ｎが最大アンテナ番号nmaxを超えたか否かが判定され、判定結果が否定の場合にはＳ１３に移行するが、肯定の場合にはＳ１８に移行する。
【００４１】
Ｓ１８においてはｕに１を加算し、Ｓ１９においては、ｕが最大アンテナユニット番号umaxを超えたか否かが判定され、判定結果が否定の場合にはＳ１２に移行するが、肯定の場合にはＳ２０に移行する。Ｓ２０においては、周知のWebサーバ機能を使用して記憶されている読み取り結果情報をネット（ＬＡＮ）に公開する。即ち、端末２３がＬＡＮ経由で読み取り結果情報を取得できるように読み取り結果データファイルを公開する。あるいは、ＲＳ２３２Ｃインターフェイス回路４５を介して読み取り結果情報を直接端末２３に送信してもよい。端末２３は読み取り結果情報を取得して、必要に応じて配線管理情報を参照し、必要な情報を表示する。
【００４２】
Ｓ２１においては、読み取り周期に相当する所定の時間を計測するタイマを起動する。Ｓ２２においては、このタイマがタイムアップするまで待ち、Ｓ１１に移行する。以上のような構成および処理によって、タグのＩＤ情報が誤り無く読み取られる。
【実施例２】
【００４３】
図６は、本発明のアンテナユニット１２の他の実施例の構成および配線パネルへの配置状態を示す断面図である。配線盤によってはコネクタが高密度に配置されており、コネクタ間の隙間が狭い場合もある。このような場合には図６に示すようにプリント基板３０を配線パネル１０に対して直角に配置し、ＲＦＩＤタグ１８も配線パネル１０に対して直角に配置することにより、アンテナユニット１２を薄くすることができる。
【００４４】
また、アンテナコイル３１についてもコイルボビンを使用せず、巻いて固めたエナメル線を直接プリント基板３０に実装するか、プリント基板３０のプリントパターンを使用してコイルを形成することにより、アンテナユニット１２をより薄くすることができる。
【実施例３】
【００４５】
図８は、実施例３のアンテナユニット１２の機能を示すブロック図である。また、図９は、実施例３のアンテナユニット１２の構成を示す平面図である。接続替え作業等を行う場合には作業を行うケーブルを特定する必要がある。そこで、アンテナユニット１２のアンテナコイル３１と対応した位置にＬＥＤ６１（発光ダイオード）を設け、コントローラ１１からの表示信号によってＬＥＤ６１が点灯するようにする。また、アンテナユニット１２の状態等を表示するために複数個（図では３個）のＬＥＤ６２を設ける。更に、アンテナユニット１２の表面にカードホルダ６３を設け、このカードホルダ６３と対向する位置にカードＩＤ読み取り用の第４のアンテナコイル６４を設ける。
【００４６】
実施例３のアンテナユニット１２においては、実施例１のアンテナユニット１２に、デコーダ６０、各アンテナコイル３１と対応して設けられたＬＥＤ６１、アンテナユニット１２の状態等を表示するための複数個のＬＥＤ６２が追加されている。なお、コントローラ１１においては、デコーダ６０へ表示信号を送出するために、バッファ４３の回路数が増加される。ＬＥＤ６２は例えばアンテナユニットの状態、所望の行に配置されているか否かの情報、接続換え情報あるいは作業と連携した確認情報などの情報を表示する。
【００４７】
コントローラ１１のマイクロコンピュータ４０は、例えば端末２３からの表示指示に基づき、バッファ４３を介してデコーダ６０に表示すべきＬＥＤと対応した２進コードの表示信号を出力する。表示信号はデコーダ６０によってデコードされ、所望のＬＥＤ６１、６２が点灯する。２箇所以上のＬＥＤを同時点灯させる場合には例えばダイナミックドライブする。
【００４８】
配線変え等工事実施に際して、該当するパネルコネクターに対応したアンテナユニット上のカードホルダ６３に作業者が所持しているＲＦＩＤカード（本装置にて読取可能なＲＦＩＤタグ）を入れることにより、端末２３において工事を実施するパネルコネクターの行の確認および作業者の特定をすることが出来る。なお、作業者が所持するＲＦＩＤカードには予め所属部署、個人名等を記録して置く。
【実施例４】
【００４９】
図１０は、実施例４のアンテナユニット８０の構造を示す平面図および側面図である。また、図１１は、実施例４のアンテナユニット８０を装着する配線パネル１０の構造を示す平面図および側面図である。図１１に示すような高密度の配線パネルの場合にはアンテナユニットをパネルに直接装着することが困難である。そこで、実施例４においては、配線パネルコネクタ９２の両側（上下）にアンテナユニット８０を着脱可能に保持する上ガイド９６および下ガイド９８を設け、アンテナユニット８０を配線パネルコネクタ９２と平行に配置している。
【００５０】
光ファイバケーブル９４の端部に装着された配線ケーブルコネクタ９３の側面には周知のＲＦＩＤタグ９５が装着されている。なお、配線ケーブルコネクタ９３は特定の方向でのみ配線パネルコネクタ９２に嵌合するように構成されており、ＲＦＩＤタグ９５は特定の方向を向くようになっている。
【００５１】
アンテナユニット８０はほぼ長方形の板状であり、後部（図１０右側）には保持あるいは操作用のループ状の摘み８１が装着されている。また、下部からはコントローラ１１と接続するためのケーブル８２が出ている。アンテナユニット８０内部の回路は前述した実施例３と同一のものである。
【００５２】
アンテナユニット８０の中央部には各配線ケーブルコネクタ９３（光ファイバケーブル９４）と対応する位置にケーブルコネクタ９３を特定するためのＬＥＤ８３が設けられている。また、例えばアンテナユニットの状態、所望の行に配置されているか否かの情報、接続換え情報あるいは作業と連携した確認情報などの情報を表示するためのＬＥＤ８４、８５、８６が設けられている。
【００５３】
また、アンテナユニット８０の中央部には図示しないカードホルダと対向する位置にカードＩＤ読み取り用のアンテナコイル８９が設けられている。更に、中央部に作業者が配線ケーブルコネクタ９３を近づけてＩＤを読み取らせるための手動読み取り用アンテナコイルを設けてもよい。
【００５４】
アンテナユニット８０の前部は薄い板状であり、アンテナユニット８０を上下のガイド９６、９８に係合させて保持させた場合に、配線ケーブルコネクタ９３の側面に装着されたＲＦＩＤタグ９５と対向する位置に多数のアンテナコイル８７（＝５１）が内蔵されている。薄いアンテナコイル８７は例えば多層プリント基板を利用して作成可能である。また、下ガイド９８の各凹部９９の側面にも装着位置検出用ＲＦＩＤタグ１００が内蔵されており、アンテナユニット８０の前部の下ガイド９８と対応する位置にもアンテナコイル８８が設けられている。
【００５５】
図１２は、実施例４のアンテナユニット８０を装着した配線パネル１０の構造を示す平面図および側面断面図である。また、図１３は、上ガイド９６および下ガイド９８の構造を示す平面図および側面図である。アンテナユニット８０の前部の上端には上ガイド９６の凹部９７と係合するために上部に伸びた突起９０が設けられている。また、アンテナユニット８０の前部の下端には下ガイド９８の凹部９９の中に装着された係止部材１０１と係合するために厚さ方向に滑らかに盛り上がった突起９１が設けられている。
【００５６】
上ガイド９６は、多数の凹部９７を備えた棒状の部材であり、配線パネル１０の配線パネルコネクタ９２の上部にネジ等によって固着される。凹部９７は断面がＬ字型で上に貫通する孔を備えており、この孔にアンテナユニット８０の前部上端の突起９０が係合することによってアンテナユニット８０が保持される。
【００５７】
下ガイド９８は、やはり多数の凹部９９を備えた棒状の部材であり、配線パネル１０の配線パネルコネクタ９２の下部にネジ等によって固着される。溝状の凹部９９の奥には断面がコ字状の弾力性材料からなる係止部材１０１が配置されており、アンテナユニット８０の前部下端を凹部９９に挿入すると突起９１が係止部材１０１と嵌合してアンテナユニット８０が保持される。下ガイド９８の凹部９９の側面には装着位置検出用ＲＦＩＤタグ１００が内蔵されている。
【００５８】
アンテナユニット８０を上下のガイドに係合させる場合には、まずアンテナユニット８０を斜めにして前部上端の突起９０を上ガイド９６の凹部９７と係合させてから、前部下端を下ガイド９８の凹部９９に挿入し、突起９１を係止部材１０１と嵌合させる。また、アンテナユニット８０を外す場合には前記と逆の操作を行う。
【００５９】
実施例４において、アンテナユニット８０にＲＦユニットやマイクロコンピュータまで内蔵し、上下のガイド９６、９８とアンテナユニット８０との接触部に電極を設けてガイドからアンテナユニット８０に電源を供給するようにし、デジタル信号はやはり端子を介して接続するか、無線伝送手段を用いて接続すればケーブル８２を無くすることができる。
【００６０】
配線パネルコネクタ９２を複数段上下に重ねて配置する場合には上ガイド９６の上部に下ガイド９８が一体に形成された上下一体ガイド部品を用いてもよい。また、取り付け方向によって上ガイド９６にも下ガイド９８にも使用できる上下兼用ガイド部品も考えられる。
【００６１】
アンテナコイルは距離の差によって表側にある最も近いＲＦＩＤタグのみを読み取り、裏側にある少し離れたＲＦＩＤタグは読み取らないように信号出力や受信感度が調整されているが、アンテナコイルの裏側に静電シールドあるいは磁気シールド等を施すことにより、より誤読み取りの恐れを減少できる。
【００６２】
以上実施例を説明したが、本発明には以下のような変形例も考えられる。実施例としては１行分のＲＦＩＤタグを読み取る移動可能なアンテナユニットの例を開示したが、アンテナユニットを複数行を同時に読み取り可能な構成にすることも可能である。この場合、移動可能にするためにはコ字状、Ｅ字状あるいは櫛状に構成すればよい。また、全てのコネクタ対応にアンテナユニットを配置するのであれば、コネクタ部分にのみ孔を開けた、複数のコネクタ行をカバーするアンテナユニットをパネルに固定してもよい。
【００６３】
実施例においては、位置検出用ＲＦＩＤタグをガイド１４に装着する例を開示したが、位置検出用ＲＦＩＤタグを例えばパネルの端部に配線ケーブルのコネクタに装着されたＲＦＩＤタグと並べて配置してもよい。このようにすれば、位置検出用のアンテナコイルを他の複数のアンテナコイルと並べて配置することができ、アンテナユニットの構造が簡単になる。
【００６４】
ＲＦＩＤタグとしては公知の任意のものを採用可能であり、実施例としては情報書き込み機能を備えているものを採用する例を開示したが、予め記憶されている固有のＩＤ情報を読み出す機能のみを備えたＲＦＩＤタグを使用しても本発明を実施可能である。
【図面の簡単な説明】
【００６５】
【図１】本発明のＲＦＩＤタグ読み取り装置を含む配線管理装置の構成を示すブロック図である。
【図２】本発明のアンテナユニット１２の構成および配線パネル１０への配置状態を示す断面図である。
【図３】本発明のアンテナユニット１２の構成を示す平面図である。
【図４】本発明のアンテナユニット１２およびコントローラ１１の機能を示すブロック図である。
【図５】本発明のアンテナユニット１２の回路を示す回路図である。
【図６】本発明のアンテナユニット１２の他の実施例の構成および配線パネルへの配置状態を示す断面図である。
【図７】コントローラ１１のマイクロコンピュータ４０の処理内容を示すフローチャートである。
【図８】実施例３のアンテナユニット１２の機能を示すブロック図である。
【図９】実施例３のアンテナユニット１２の構成を示す平面図である。
【図１０】実施例４のアンテナユニット８０の構造を示す平面図および側面図である。
【図１１】実施例４のアンテナユニット８０を装着する配線パネル１０の構造を示す平面図および側面図である。
【図１２】実施例４のアンテナユニット８０を装着した配線パネル１０の構造を示す平面図および側面断面図である。
【図１３】上ガイド９６および下ガイド９８の構造を示す平面図および側面図である。
【符号の説明】
【００６６】
１０…配線パネル
１１…コントローラ
１２…アンテナユニット
１３…配線パネルコネクタ
１４…ガイド
１５…配線ケーブルコネクタ
１６…光ファイバケーブル
１７…アダプタ
１８…ＲＦＩＤタグ
２２…ＬＡＮ
２３…端末
２４…通信ケーブル
【図１】
2009157904.tif 000003
【図２】
2009157904.tif 000004
【図３】
2009157904.tif 000005
【図４】
2009157904.tif 000006
【図５】
2009157904.tif 000007
【図６】
2009157904.tif 000008
【図７】
2009157904.tif 000009
【図８】
2009157904.tif 000010
【図９】
2009157904.tif 000011
【図１０】
2009157904.tif 000012
【図１１】
2009157904.tif 000013
【図１２】
2009157904.tif 000014
【図１３】
2009157904.tif 000015